(57)【特許請求の範囲】
【請求項１】
少なくとも直列接続された複数の単電池からなる組電池の各種電圧を検出するための電圧検出手段であって、前記電池の少なくとも１つの出力を蓄えるためのコンデンサと、前記コンデンサを前記電池の少なくとも１つに接続するための電池接続用スイッチと、前記コンデンサの出力をデジタル信号に変換するＡ／Ｄ変換器と、前記コンデンサと前記Ａ／Ｄ変換器を接続するためのＡ／Ｄ変換器接続用スイッチと、前記電池接続用スイッチおよびＡ／Ｄ変換器接続用スイッチを制御しかつ前記Ａ／Ｄ変換器の出力信号に基づいて前記コンデンサに印加された電圧を検出する信号処理部とを具備する電池電圧検出手段において、
電圧を検出しようとする単電池の負極側に接続されている少なくとも１つの単電池の電圧を前記コンデンサに印加して、その後前記少なくとも１つの単電池と前記コンデンサを切り離し、次いで前記少なくとも１つの単電池の電圧に加え、電圧を検出しようとする単電池の電圧を前記コンデンサを介して前記Ａ／Ｄ変換器に印加して、前記電圧を検出しようとする単電池の電圧を検出する電池電圧検出手段。
【請求項２】
前記コンデンサの容量が０．０１μＦ以上である請求項１記載の電池電圧検出手段。
【請求項３】
前記コンデンサがセラミックコンデンサである請求項１記載の電池電圧検出手段。
【請求項４】
前記Ａ／Ｄ変換器がサンプルホールド用コンデンサを具備する請求項１記載の電池電圧検出手段。
【請求項５】
少なくとも直列接続された複数の単電池からなる組電池の各種電圧を検出するための電池電圧検出方法であって、電圧を検出しようとする単電池の負極側に接続されている少なくとも１つの単電池をコンデンサと接続して、前記コンデンサに前記少なくとも１つの単電池の電圧を印加するステップ、前記少なくとも１つの単電池と前記コンデンサを切り離すステップ、および前記少なくとも１つの単電池の電圧に加え、電圧を検出しようとする単電池の電圧を前記コンデンサを介して信号処理部に印加し、前記信号処理部に加わる電圧を検出するステップを具備する電池電圧検出方法。
【請求項６】
請求項１記載の電池電圧検出手段を用いたことを特徴とする電池管理装置。
【請求項７】
少なくとも直列接続された複数の単電池からなる組電池および請求項６記載の電池管理装置を具備する電池パック。
【発明の詳細な説明】
【０００１】
【発明の属する技術分野】
本発明は、各種電気機器とりわけポータブル機器に用いられる電池パックの電池管理装置に関するものであり、詳しくは電池パックに用いられる二次電池の充放電の制御のために二次電池の電圧情報を取り出す電池電圧検出手段に関する。
【０００２】
【従来の技術】
近年、電気機器の小型化や高性能化に伴い、それに用いる二次電池（単電池およびその集合体である組電池を示す）の充放電等を精度よく管理する必要が高まっている。そこで、電気機器や電池パックには、二次電池を監視し、制御するための電池管理装置が設けられている。
電池管理装置は、機器に搭載された二次電池の電圧、電流、温度等を監視し、機器の使用時すなわち二次電池の放電時においては、測定した電圧値等に基づいてその過電流や過放電を防止する。さらに、充電時においては、過充電を防止する。このように電池管理装置は、二次電池の安全性を高め、同時にその劣化を防止している。なお、電池管理装置のその他の機能としては、単電池の残容量を推定する機能が挙げられる。
【０００３】
以下、一例として、単電池を３個直列接続した組電池を使用する電気機器について説明する。
図１に、電池管理装置を備えた電気機器の構成の概略を示す。組電池２は、直列接続された単電池３ａ〜３ｃおよびこれらの温度を検出するためのサーミスタ８を備えている。組電池２と、組電池２を監視する電池管理装置１は、一体化されて電池パック４を構成している。
電池管理装置１は、電池電圧検出手段５、電池温度検出手段６および充放電電流検出手段７を備えている。電池電圧検出手段５は、組電池２全体の電圧および組電池２を構成する単電池３ａ〜３ｃの電圧をそれぞれ検出する。電池温度検出手段６は、サーミスタ８からの信号により組電池２の温度を検出する。充放電電流検出手段７は、シャント抵抗９からの信号により組電池２の充放電時の電流値を検出する。
【０００４】
以上のようにして電池電圧検出手段５、電池温度検出手段６および充放電電流検出手段７により検出された単電池３ａ〜３ｃに関する情報は、それぞれ制御手段１０に出力される。
制御手段１０は、得られた情報より単電池３ａ〜３ｃの残容量を推定する。また、組電池２および単電池３ａ〜３ｃに関する情報に基づいて、通信手段１２よりシリアル通信によって、電池パック４に接続された機器本体１１に制御信号を出力する。さらに、制御手段１０は、充電スイッチ１３および放電スイッチ１４を操作して、組電池２の充放電を制御する。なお、機器本体１１は、電池パック４より送られてきた制御信号に基づいてその出力を制御したり、異常の有無等の情報を表示部（図示せず）等によって使用者に通知する。
【０００５】
電池電圧検出手段５は、組電池２内の単電池３ａ、３ｂおよび３ｃの電圧を、図２に示すように所定間隔ｔ（例えば０．５秒）で繰り返し検出する。得られた単電池の電圧の経時変化の情報は、充電制御、過充電保護、過放電保護等に用いられる。ニッケル−水素二次電池等においては、組電池の電圧は、満充電を検出する−△Ｖ制御に用いられる。
【０００６】
以下、従来の電池電圧検出手段およびその電圧検出方法について説明する。
従来の電池電圧検出手段５の構成を図３に示す。スイッチＳ１〜Ｓ６は、信号処理部２１の指令信号により動作し、単電池３ａ〜３ｃを選択的に演算増幅器１５および抵抗１７〜２０で構成される増幅手段２２に接続する。Ａ／Ｄ変換器１６は、増幅手段２２の出力をデジタル信号に変換する。信号処理部２１は、Ａ／Ｄ変換器１６からの入力信号より、単電池３ａ〜３ｃの電圧をそれぞれ検出する。
【０００７】
以下、単電池３ａ〜３ｃの電圧の測定方法を詳細に説明する。
あらかじめスイッチＳ１〜Ｓ６はＯＦＦになっている。まず単電池３ａの電圧を測定するために、Ｓ１およびＳ３をＯＮにし、単電池３ａを増幅手段２２に接続する。電圧検出が終了すると、信号処理部２１はＳ１およびＳ３をＯＦＦにする。
ついで、Ｓ１およびＳ３に代えてスイッチＳ２およびＳ５を操作して、単電池３ｂの電圧を同様に検出する。さらに、Ｓ４およびＳ６を同様に操作して、単電池３ｃの電圧を検出する。このような操作を常時もしくは定期的に繰り返して得られた電池の情報は、各種制御に用いられている。
【０００８】
しかしながら、上記の電池電圧検出手段は、以下に示すように、電圧検出時に消費される電力量が単電池毎に異なるため、単電池間の出力の格差が増大するといった問題点も有する。
具体的な例を挙げて説明する。
図３に示す単電池３ａ、３ｂおよび３ｃの出力電圧Ｖ３ａ、Ｖ３ｂおよびＶ３ｃをいずれもＶとし、抵抗Ｒ１７〜Ｒ２０の抵抗値をいずれもＲとする。スイッチＳ１〜Ｓ６の接続時間は、演算増幅器１５の出力が安定するまでの待ち時間を考慮して、いずれも１ミリ秒とする。
【０００９】
単電池３ａの電圧を検出するときに、単電池３ａ〜３ｃにはスイッチＳ１、抵抗Ｒ１７および抵抗Ｒ１９を通じてそれぞれ３Ｖ／２Ｒの電流が流れ、さらにスイッチＳ３、抵抗Ｒ１８および抵抗Ｒ２０を通じて、（２Ｖ−Ｖｏｕｔ）／２Ｒの電流が流れる。ここで、Ｖｏｕｔは、演算増幅器１５の出力電圧である。
単電池３ｂの電圧を検出するときに、単電池３ｂおよび３ｃにはスイッチＳ２、抵抗Ｒ１７および抵抗Ｒ１９を通じて、２Ｖ／２Ｒ（＝Ｖ／Ｒ）の電流が流れ、このときさらに単電池３ｃにはスイッチＳ５、抵抗Ｒ１８および抵抗Ｒ２０を通じて（Ｖ−Ｖｏｕｔ）／２Ｒの電流が流れる。
単電池３ｃの電圧を検出するときに、単電池３ｃにはスイッチＳ４、抵抗Ｒ１７および抵抗Ｒ１９を通じて、Ｖ／２Ｒの電流が流れる。
【００１０】
演算増幅器１５の＋側入力電圧をＶｐとし、抵抗Ｒ１８の入力電圧をＶｉとすると、Ｖｏｕｔは、以下の式（１）で表される。
【００１１】
Ｖｏｕｔ＝（１＋Ｒ２０／Ｒ１８）・Ｖｐ−（Ｒ２０／Ｒ１８）・Ｖｉ        （１）
【００１２】
したがって、単電池３ａの電圧を検出するときには、式（１）は以下の式（２）で表される。
【００１３】
Ｖｏｕｔ＝（１＋Ｒ２０＋Ｒ１８）・｛（Ｖ３ａ＋Ｖ３ｂ＋Ｖ３ｃ）・Ｒ１９／（Ｒ１７＋Ｒ１９）｝−（Ｖ３ｂ＋Ｖ３ｃ）・Ｒ２０／Ｒ１８                      （２）
【００１４】
ここで、Ｖ３ａ＝Ｖ３ｂ＝Ｖ３ｃ＝Ｖとし、Ｒ１７＝Ｒ１８＝Ｒ１９＝Ｒ２０＝Ｒとすると、式（２）は、Ｖｏｕｔ＝Ｖとなる。
【００１５】
また、単電池３ｂの電圧を検出するときには、式（１）は以下の式（３）で表される。
【００１６】
Ｖｏｕｔ＝（１＋Ｒ２０／Ｒ１８）・｛（Ｖ３ｂ＋Ｖ３ｃ）・Ｒ１９／（Ｒ１７＋Ｒ１９）｝−Ｖ３ｃ・Ｒ２０／Ｒ１８                                （３）
【００１７】
したがって、単電池３ａ〜３ｃの電圧を検出するときに、各単電池の放電量は、表１に示すようになる。
【００１８】
【表１】
0003544626.tif 000002
【００１９】
すなわち、各単電池の電圧を検出する際の単電池３ｂの放電量は、単電池３ａのそれの２倍になる。また、単電池３ｃの放電量は、単電池３ａのそれの約２．３倍にも達する。すなわち、各単電池の電圧を検出する度に、単電池間の出力の格差は増大することになる。特に、常時電圧を検出しているような電池パックの場合、単電池間の出力格差が無視できないほど、大きくなる恐れがある。
【００２０】
また、上記の方法で電圧を検出をするには、高性能の演算増幅器や抵抗が必要とされる。たとえば、リチウムイオン二次電池においては、残容量が少なくなっても出力電圧はわずかしか低下しないために、精度よく充放電を管理するためには、単電池当たり±５０ｍＶの高精度で電圧を検出する必要がある。Ａ／Ｄ変換器の出力誤差が±２５ｍＶであるとすると、上記のような増幅手段においては、±２５ｍＶの精度が求められることになる。
汎用の演算増幅器や抵抗を用いた場合には、このような高い精度は得られないことから、従来の電池管理装置には、高価な高性能の演算増幅器や抵抗を用いる必要があった。
【００２１】
増幅手段においては、入力抵抗の相対精度と、演算増幅器の入力オフセット電圧の精度の２倍が、出力精度となって現れる。入力抵抗としては、絶対精度が０．２％以下の抵抗を組み合わせてその最大相対精度が０．４％以下になるようにしていた。すなわち、リチウムイオン二次電池を例に挙げると、過充電保護検出電圧４．３５Ｖに対して、±１７．４ｍＶとなる。また、高性能の演算増幅器においても入力オフセット電圧の精度はせいぜい±３ｍＶである。したがって、演算増幅器の入力オフセット電圧の精度に起因した増幅手段の出力精度は±６ｍＶである。このように、従来、増幅手段の出力誤差を±２５ｍＶ以下とするためには、精度の高い高価な演算増幅器を用いる必要があった。
【００２２】
【発明が解決しようとする課題】
本発明は、以上のような問題点を解決するもので、高性能の電池検出手段を備えた電池パックを安価で提供することを目的とする。
【００２３】
【課題を解決するための手段】
本発明では、直列接続された複数の単電池を管理するための電池電圧の検出において、高価な演算増幅器や抵抗に代えて、安価なコンデンサおよびアナログスイッチを用いることができる。
すなわち、本発明は、少なくとも直列接続された複数の単電池からなる組電池の各種電圧を検出するための電池電圧検出方法であって、電圧を検出しようとする単電池の負極側に接続されている少なくとも１つの単電池をコンデンサと接続して、前記コンデンサに前記少なくとも１つの単電池の電圧を印加するステップ、前記少なくとも１つの単電池と前記コンデンサを切り離すステップ、および前記少なくとも１つの単電池の電圧に加え、電圧を検出しようとする単電池の電圧を前記コンデンサを介して信号処理部に印加し、前記信号処理部に加わる電圧を検出するステップを具備する電池電圧検出方法、ならびにその方法を実施するための手段に関する。
【００２４】
【発明の実施の形態】
本発明の電池パックは、複数の単電池からなる組電池の少なくとも１つの出力を蓄えるためのコンデンサと、前記コンデンサを前記電池の少なくとも１つに接続するための電池接続用スイッチ、コンデンサの出力をデジタル信号に変換するＡ／Ｄ変換器、コンデンサとＡ／Ｄ変換器を接続するためのＡ／Ｄ変換器接続用スイッチ、電池接続用スイッチ、およびＡ／Ｄ変換器接続用スイッチを制御しかつＡ／Ｄ変換器の出力信号に基づいてコンデンサに印加された電圧を検出する信号処理部を備えた電池検出手段を具備している。
【００２５】
コンデンサは、その容量のバラツキに関わらず、接続された電池の電圧が正確に伝達される。したがって、本発明によると、単電池の電圧を直接測定するのと変わらない精度で単電池の電圧を検出することができる。したがって、演算増幅器等を用いた従来の電池管理装置と比べて、小さな誤差で電池の電圧を検出することができる。
さらに、従来の電池電圧検出手段に必要であった高価な高性能の演算増幅器や抵抗を、安価なコンデンサやアナログスイッチに置き換えることができる。  
【００２６】
本発明の電池管理装置の好ましい態様において、コンデンサの容量が０．０１μＦ以上である。
一般に、電圧検出手段の信号処理部およびＡ／Ｄ変換器は、一体化されたマイクロコンピュータによって構成される。そのようなＡ／Ｄ変換器には、容量がせいぜい１０ｐＦ程度のサンプルホールド用コンデンサが内蔵されている。このような電圧検出手段においては、先に単電池と接続され電圧を印加されたコンデンサとこのサンプルホールド用コンデンサを接続して、サンプルホールド用コンデンサに電圧を印加する。このとき、単電池の電圧が印加された側のコンデンサの極板間電圧をサンプルホールド用コンデンサに精度よく伝えるためには、単電池と直接接続するコンデンサの容量が０．０１μＦ以上であることが好ましい。
【００２７】
コンデンサとサンプルホールド用コンデンサを接続すると、電気量保存則により、サンプルホールド用コンデンサに印加される電圧Ｖｓは、以下の式（４）のように表される。
【００２８】
Ｖｓ＝Ｃ０／（Ｃ０＋Ｃｓ）・Ｖ０                                                  （４）
【００２９】
一般に、コンデンサは単電池からの入力電圧を１ｍＶ以下の誤差で入出力することが可能であるから、上式は精度よく成り立つ。
単電池がリチウムイオン電池であって、その出力電圧が４３５０ｍＶであるとすると、サンプルホールド用のコンデンサの容量を最大値である１０ｐＦとしても、コンデンサの容量を０．０１μＦとすることで、本来の単電池電圧と、サンプルホールド用コンデンサに印加される電圧の差を４．３５ｍＶ、すなわち０．１％とすることができる。もちろん、コンデンサの容量をさらに大きくすると、両者の差はさらに小さくなる。また、式（４）より明らかなように、コンデンサの容量が充分大きいと、容量のバラツキは誤差にほとんど影響を及ぼさない。したがって、コンデンサの容量を０．０１μＦ以上とすることで、誤差を事実上無視することができる。
上記のコンデンサとしては、例えば、安価なアルミナ等のセラミックコンデンサを用いる。
【００３０】
本発明の電池電圧検出方法は、電圧を検出しようとする単電池の負極側に接続されている少なくとも１つの単電池の電圧をコンデンサに印加するステップ、前記少なくとも１つの単電池とコンデンサを切り離すステップ、および前記少なくとも１つの単電池と電圧を検出しようとする単電池の電圧をコンデンサを介して信号処理部に印加し、信号処理部に加わる電圧を検出するステップを具備する。
【００３１】
【実施例】
以下、本発明の好ましい実施例を、図面を用いて詳細に説明する。なお、以下の実施例においては、いずれも単電池を３個直列接続して用いる電気機器の電池パックについて説明する。もちろん、単電池を２個、または４個以上接続して用いる電気機器の電池パックにおいても、以下の実施例と同様の手法によって電池を管理することができる。
【００３２】
《参考例１》
本参考例の電池パックの特徴部分の構成を図４に示す。
組電池２８には、単電池２３ａ〜２３ｃが直列に接続されている。
信号処理部２７の指令信号により動作するスイッチＳ１１〜Ｓ１６は、単電池２３ａ〜２３ｃをコンデンサ２４とそれぞれ接続するように配されている。ここで用いるコンデンサ２４には、たとえばセラミックコンデンサを用いる。コンデンサ２４と信号処理部２７の間には、信号処理部２７の指令信号により動作するスイッチＳ１７およびＳ１８が配されている。Ｓ１９は、コンデンサ２４に蓄えられた電荷を放出するためのスイッチで、信号処理部２７の指令信号により動作する。コンデンサ２４と信号処理部２７の間にはＡ／Ｄ変換器２６が配されている。Ａ／Ｄ変換器２６は、コンデンサ２４からのアナログ信号をデジタル化して信号処理部２７に出力する。
【００３３】
以下、本電池管理装置による単電池電圧の検出方法について説明する。
測定開始時には、Ｓ１１〜Ｓ１９はいずれもＯＦＦになっている。まず、信号処理部２７は、Ｓ１１およびＳ１３を所定時間（たとえば０．１ミリ秒）、ＯＮにする。これにより、コンデンサ２４には、単電池２３ａによって電圧が印加され、電荷が蓄えられる。
信号処理部２７は、Ｓ１１およびＳ１３をＯＦＦにしたのち、Ｓ１７およびＳ１８をＯＮにする。これにより、コンデンサ２４からＡ／Ｄ変換器２６に電圧信号が出力される。Ａ／Ｄ変換器２６は、コンデンサ２４の出力信号をデジタル化して信号処理部２７に出力する。信号処理部２７は、入力されたデジタル信号よりコンデンサ２４に印加された電圧を検出する。
ついで、Ｓ１１およびＳ１３に代えてＳ１２およびＳ１５を制御して、上記と同様に単電池２３ｂの電圧を検出する。その後、同様にＳ１２およびＳ１５を制御して、単電池２３ｃの電圧を検出する。
信号処理部２７は、必要に応じてＳ１９をＯＮにして、コンデンサ２４に蓄えられた電荷を放出する。
【００３４】
ここで、コンデンサ２４とＡ／Ｄ変換器２６とを接続すると、コンデンサ２４は、Ａ／Ｄ変換器２６に内蔵されたサンプルホールド用コンデンサ（図示せず）と接続される。すなわち、Ａ／Ｄ変換器２６は、このサンプルホールド用コンデンサに一時電荷を蓄えたのち、そこに印加された電圧を検出する。
Ａ／Ｄ変換器２６はコンデンサ２４とこのサンプルホールド用コンデンサとを接続したときのサンプル用コンデンサの電圧を検出することから、上記のようにコンデンサ２４の容量は、Ａ／Ｄ変換器２６に内蔵されたサンプルホールド回路としてのコンデンサの容量よりも充分大きくする。
【００３５】
サンプルホールド用コンデンサは一般に容量が４〜５ｐＦ、最大でも１０ｐＦであることから、サンプルホールド用コンデンサに精度よく電圧を伝達するためには、コンデンサ２４には、例えば容量が０．０１μＦのコンデンサを用いる。もちろん、コンデンサ２４の容量が大きいほど、電圧検出の誤差は小さくなるため、より大容量のコンデンサを用いてもよい。特に容量が大きいコンデンサであれば、その容量のバラツキに起因した誤差を無視することができ、コンデンサ容量に高い精度は求められない。したがって、汎用のコンデンサを用いることができる。たとえば、安価で小型なセラミックコンデンサが好ましい。
【００３６】
本参考例の電圧検出手段によると、従来の電池パックに用いられていた演算増幅器および抵抗に代えてアナログスイッチおよびコンデンサを用いる。上記のような構成によると、アナログスイッチによる誤差は無視できる。したがって、電圧検出の誤差要因としては、コンデンサをＡ／Ｄ変換器と接続する際の電圧値の低下のみと考えてもよい。しかし、これに対しても、上記のように容量の大きなコンデンサを用いると、誤差を無視することができる。また、小容量のコンデンサを用いても、容量が既知であれば、式（４）で示された電気量保存則に基づいて補正することも可能であり、精度の高い電圧検出が可能である。
【００３７】
さらに、本参考例の電池パックによれば、単電池はコンデンサと接続されたときだけ放電することから、従来の電池パックのように単電池間のアンバランスを助長することが無い。むしろ、逆に是正することも可能である。
コンデンサを並列に接続した場合、それらに蓄えられる電荷量は容量に比例する。上記のように、コンデンサ２４の容量は、Ａ／Ｄ変換器２６に内蔵されたサンプルホールド用のコンデンサの容量よりも充分に大きい。したがって、両者を接続しても、コンデンサ２４に蓄えられた電荷のうちごく一部がＡ／Ｄ変換器２６に供給されるだけで、電荷のほとんどはコンデンサに２４に残存する。また、このとき、両者の接続の前後でコンデンサ２４の電圧はほとんど低下しない。
【００３８】
したがって、上記のように、単電池２３ａ〜２３ｃを順にコンデンサ２４と接続する課程で、コンデンサ２４が電圧が他の単電池よりも低い単電池、すなわちコンデンサ２４に印加されている電圧よりも電圧が低い単電池と接続されると、コンデンサ２４に蓄えられた電荷の一部が単電池に向けて移動する。これによりその単電池は充電され、わずかではあるが、他の単電池との電圧の格差が是正される。もちろん、コンデンサ２４から単電池への電荷の移動により単電池の出力電圧は大きく変化しないため、電圧の低下した単電池であっても精度よく電圧の検出が可能である。
【００３９】
コンデンサ２４に常時、電荷が蓄えられていれば、上記のような機能が発揮される。また、信号処理部２４に単電池２３ａ〜２３ｃの電圧を比較する手段を設け、検出された電圧値の大小によって次に電圧を検出する順番を変化させるように制御すれば、さらに効果的に電圧を是正することも可能である。
さらに、従来の電池パックには、高価な高性能演算増幅器や抵抗が求められるのに対して、本実施例の電池パックによると、安価なアナログスイッチおよびコンデンサを用いる。したがって、従来の電池パックと比べてコストを大幅に低減させることができる。本参考例の電池電圧検出手段２５においては、従来の増幅手段２２に要した部品価格の１／３の価格で代替回路を構成することができる。
【００４０】
また、上記の電池パック４において、通常の各単電池の電圧の検出中に、定期的にＳ１９をＯＮにしてコンデンサ２４に蓄えられた電荷をすべて放出する動作を織り交ぜることにより、さらなる効果を得ることができる。たとえば、コンデンサ２４に蓄えられた電荷をすべて放出させた直後に検出した単電池の電圧値が、通常時に検出した電圧値と等しくなかった場合（特に、コンデンサ２４の放電直後の電圧値の方が低い場合）には、組電池２８と電池管理装置１との接続部のいずれかに接続不良（オープン）が発生したと判断できる。したがって、このような場合には、充放電を停止させることができる。
【００４１】
《実施例１》
参考例１では、コストダウンとともに電圧検出によって消費される電力量のアンバランスの是正に有用な電池管理装置について説明したが、本実施例では特にコストダウンに有用な電池管理装置、すなわち参考例１で説明した電池パックよりもさらに安価で提供できる電池パックについて説明する。
【００４２】
本実施例の電池管理装置を図５に示す。
互いに直接に接続された単電池２３ａ〜２３ｃの正極端子は、それぞれスイッチＳ２１〜Ｓ２３を介してコンデンサ３１の一方の極に接続されている。また、単電池２３ｃの負極端子は、スイッチＳ２５を介してコンデンサ３１の他極に接続されている。コンデンサ３１のＳ２５と接続された側の極は、順にスイッチＳ２６およびＡ／Ｄ変換器３３を介して信号処理部３２と接続されている。単電池２３ｂの負極端子は、スイッチＳ２４を介して、Ｓ２６の下流かつＡ／Ｄ変換器３３の上流に接続されている。
【００４３】
Ｓ２２およびＳ２５をＯＮにすると、コンデンサ３１に単電池２３ｂおよび２３ｃにより電圧が印加されて電荷が蓄えられる。
所定時間（例えば１０ミリ秒）経過すると、信号処理部３２は、Ｓ２２およびＳ２５をＯＦＦにし、Ｓ２１およびＳ２６をＯＮにする。これにより、コンデンサ３１には、さらに単電池２３ａの出力電圧が印加される。このとき、Ｓ２５はＯＦＦになっているため、単電池２３ａの出力電圧に対応した信号がＡ／Ｄ変換器３３に出力される。Ａ／Ｄ変換器３３への出力が終了すると、信号処理部３２はＳ２１およびＳ２６をＯＦＦにする。
【００４４】
次に、信号処理部３２は、Ｓ２３およびＳ２５をＯＮにして、コンデンサ３１に単電池２３ｃの電圧を印加する。所定時間経過後、Ｓ２３およびＳ２５をＯＦＦにし、ついで、Ｓ２２およびＳ２６をＯＮにする。これにより、コンデンサ３１には、単電池２３ｃの電圧に加えて単電池２３ｂの出力電圧が印加される。これにより、Ａ／Ｄ変換器３３に、単電池２３ｂの出力電圧に対応した信号が供給される。Ａ／Ｄ変換器３３への出力が終了すると、Ｓ２２およびＳ２６をＯＦＦにする。
ついで、Ｓ２４をＯＮにし、単電池２３ｃの出力を直接、Ａ／Ｄ変換器３３に供給する。Ａ／Ｄ変換器３３は、この入力信号により単電池２３ｃの電圧を検出する。
【００４５】
本実施例の電池管理装置によると、直列接続された単電池間に電池電圧検出における消費電力量のアンバランスは残るものの、装置の構成を従来の電池パックにおける電池電圧検出手段と比べてスイッチを３つ減らして簡略化することができる。また、参考例１で用いた電池電圧検出手段と比べてもさらに大幅なコストダウンが可能になる。
【００４６】
【発明の効果】
本発明によると、携帯電話やノート型ＰＣから電気自動車におよぶ広い用途で適用可能な高性能の電池電圧検出手段を備えた電池パックを安価で提供することができる。特に、電池を多数直列接続していても適用可能であることから、電気自動車等の電動車両における効果は、さらに大きいものになる。
【図面の簡単な説明】
【図１】電池管理装置を備えた電気機器の構成の概略を示すブロック図である。
【図２】単電池の電圧検出のサイクルを示す図である。
【図３】従来の電池管理装置の構成の概略を示すブロック図である。
【図４】本発明の一参考例の電池管理装置の概略を示すブロック図である。
【図５】本発明の実施例の電池管理装置の概略を示すブロック図である。
【図１】
0003544626.tif 000003
【図２】
0003544626.tif 000004
【図３】
0003544626.tif 000005
【図４】
0003544626.tif 000006
【図５】
0003544626.tif 000007